(57)【要約】  従来の化学発光体よりも低量の化学発光用組成物とすることができ、従来の化学発光体よりも発光面積がより広い化学発光体を提供する。  両端が密閉可能である外部ケース（１）と、  外部ケース（１）の中空空間に内包されるアンプル（３１）と、  アンプル（３１）に収容される第一の化学発光用組成物と、外部ケース（１）内部でありアンプル（３１）の外部に第二の化学発光用組成物との一対の化学発光用組成物と、  外部ケース（１）の中空空間の内部に配置される吸液材（２）と、を有する化学発光体（１００）。
2019155521.tif 000002
【特許請求の範囲】
【請求項１】
両端が密閉可能であり中空空間を有する外部ケースと、
前記外部ケースの前記中空空間に内包される少なくとも二つのアンプルと、
第一の化学発光用組成物と第二の化学発光用組成物との一対の化学発光用組成物と、
前記外部ケースの前記中空空間の内部に配置される吸液材と、
を有する化学発光体であって、
前記第一の化学発光用組成物は、第一のアンプルの内部に充填され、前記第二の化学発光用組成物は第二のアンプルの内部に充填される化学発光体。
【請求項２】
両端が密閉可能であり中空空間を有する外部ケースと、
前記外部ケースの前記中空空間に内包される少なくとも一つのアンプルと、
第一の化学発光用組成物と第二の化学発光用組成物との一対の化学発光用組成物と、
前記外部ケースの前記中空空間の内部に配置される吸液材と、
を有する化学発光体であって、
前記第一の化学発光用組成物は前記アンプルの内部に充填され
前記第二の化学発光用組成物は、前記外部ケースの前記中空空間の内部であり、かつ、前記アンプルの外部の第一空間に充填される化学発光体。
【請求項３】
前記外部ケース内において、前記アンプルを保持するアンプル保持部材であって、
前記アンプルの一部を外部ケース内で固定する固定部を有し、
前記固定部と離れたアンプルの押圧位置に対応する外部ケースの位置を押圧することで前記アンプルが破割する請求項１または２に記載の化学発光体。
【請求項４】
前記アンプル保持部材が、前記アンプルの押圧位置に対応し前記アンプルを保持し前記固定部方向に可撓性の可撓性保持部を有する、請求項３記載の化学発光体。
【請求項５】
前記吸液材が、シュウ酸エステル、触媒、および蛍光物質からなる群から選択される少なくとも１以上の成分を担持したものである請求項１〜４のいずれかに記載の化学発光体。
【請求項６】
前記吸液材がシート状であり、前記外部ケースの内周面に沿って配置されたものである請求項１〜５のいずれかに記載の化学発光体。
【請求項７】
前記吸液材が、その少なくとも一部に蛍光剤を含侵されたものである請求項１〜６のいずれかに記載の化学発光体。
【発明の詳細な説明】
【技術分野】
【０００１】
本発明は化学発光体に関する。
【背景技術】
【０００２】
従来から、コンサートライトのようにイベント時に用いられるライトや防災用ライト等の手持ち型ライト、夜間の釣り用に使用される浮き、セレモニー会場の装飾等のように、化学発光用蛍光液と化学発光用酸化液の組み合わせのような２種類の液体や固体を混合させることで化学発光を生じさせる化学発光体が広く用いられている（特許文献１、２）。【０００３】
これらの化学発光体は、前述の特許文献１や２に示されるように、筒状容器内（外部ケース内）に、さらにガラスアンプル等の内筒を設け、一方の液（または固体）をこの内筒内に充填し、その内筒の外側でありかつ外部ケース内に他方の液を充填し、保管時においては２種の液が内筒（ガラスアンプルの場合、ガラス）によって分離されるものの、使用時には化学発光体を折り曲げることで内筒が破割し、２種の液（または液と固体）が混合し筒状容器内で化学発光が生じる構成として提案され利用されている。【０００４】
特許文献３には、化学発光体を大型化しても軽量とするものとして、外部ケースの略中央に配置されるスペーサーを有する化学発光体が開示されている。
【先行技術文献】
【特許文献】
【０００５】
【特許文献１】特許第４０４４９３４号公報
【特許文献２】特開平８−２８０４２１号公報
【特許文献３】特許６１３８７４３号公報
【発明の概要】
【発明が解決しようとする課題】
【０００６】
前述の特許文献等に開示されるように、円柱状等の形状を有する種々の化学発光体が開示されている。これらの化学発光体は、その筒（外部ケース）内にアンプルや、化学発光用組成物の液等が内包されている。
化学発光体の筒内に化学発光用組成物の液を充填しすぎると、化学発光反応が起きる際に発生するガス（ＣＯ2）により外部ケースが変形して液漏れが生じる恐れがある。また、蓋を設ける溶封などのとき、液漏れや溶封熱等による反応等が生じる恐れがある。また、気温差等により化学発光体内で溶媒の蒸発等による内圧変化等が生じて変形や液漏れ等が生じる恐れがある。このため、化学発光体内は容量の限界付近まで組成物等が充満された状態とせず、容量に余裕がある状態に内容量（液量）等が調整される。
一方、化学発光体内では、化学発光用組成物がある場所で発光する。すなわち、化学発光体の外部ケース内の化学発光用組成物の容積の高さ（液面等）がその発光範囲となる。化学発光体容器内に液が充満されていない空間があると、その空間は発光されていないため、発光面積は制限されたものとなっていた。係る状況下、本発明は、発光面積がより広い化学発光体を提供することを目的とする。
【課題を解決するための手段】
【０００７】
本発明者は、上記課題を解決すべく鋭意研究を重ねた結果、下記の発明が上記目的に合致することを見出し、本発明に至った。【０００８】
すなわち、本発明は、以下の発明に係るものである。
＜１＞  両端が密閉可能であり中空空間を有する外部ケースと、
前記外部ケースの前記中空空間に内包される少なくとも二つのアンプルと、
第一の化学発光用組成物と第二の化学発光用組成物との一対の化学発光用組成物と、
前記外部ケースの前記中空空間の内部に配置される吸液材と、を有する化学発光体であって、
前記第一の化学発光用組成物は、第一のアンプルの内部に充填され、前記第二の化学発光用組成物は第二のアンプルの内部に充填される化学発光体。
＜２＞  両端が密閉可能であり中空空間を有する外部ケースと、
前記外部ケースの前記中空空間に内包される少なくとも一つのアンプルと、
第一の化学発光用組成物と第二の化学発光用組成物との一対の化学発光用組成物と、
前記外部ケースの前記中空空間の内部に配置される吸液材と、を有する化学発光体であって、
前記第一の化学発光用組成物は前記アンプルの内部に充填され
前記第二の化学発光用組成物は、前記外部ケースの前記中空空間の内部であり、かつ、前記アンプルの外部の第一空間に充填される化学発光体。
＜３＞  前記外部ケース内において、前記アンプルを保持するアンプル保持部材であって、
前記アンプルの一部を前記外部ケース内で固定する固定部を有し、前記固定部と離れたアンプルの押圧位置に対応する外部ケースの位置を押圧することで前記アンプルが破割する前記＜１＞または＜２＞に記載の化学発光体。
＜４＞  前記アンプル保持部材が、前記アンプルの押圧位置に対応し前記アンプルを保持し前記固定部方向に可撓性の可撓性保持部を有する、前記＜３＞記載の化学発光体。
＜５＞  前記吸液材が、シュウ酸エステル、触媒、および蛍光物質からなる群から選択される少なくとも１以上の成分を担持したものである前記＜１＞〜＜４＞のいずれかに記載の化学発光体。
＜６＞  前記吸液材がシート状であり、前記外部ケースの内周面に沿って配置されたものである前記＜１＞〜＜５＞のいずれかに記載の化学発光体。
＜７＞  前記吸液材が、その少なくとも一部に蛍光剤を含侵されたものである前記＜１＞〜＜６＞のいずれかに記載の化学発光体。
【発明の効果】
【０００９】
本発明の化学発光体は、化学発光用組成物の内容量による液面等に対してより広範な発光面積を得ることができる。
【図面の簡単な説明】
【００１０】
【図１】本発明の第一の実施形態に係る化学発光体の斜視図である。
【図２】本発明の第一の実施形態に係る化学発光体の断面図である。
【図３】本発明の第一の実施形態に係る化学発光体の部分拡大断面図である。
【図４】本発明の第二の実施形態に係る化学発光体の正面図である。
【図５】本発明の第二の実施形態に係る化学発光体に用いるアンプル保持部材を説明するための図である。（ａ）はアンプル保持部材の正面図、（ｂ）はアンプル保持部材の平面図、（ｃ）はアンプル保持部材の斜視図、（ｄ）はアンプル保持部材の断面図である。
【図６】本発明の第二の実施形態に係る化学発光体に用いるアンプル保持部材がアンプルを保持した状態を示す図である。
【図７】本発明の第二の実施形態に係る化学発光体を組み立てる工程の一部を説明するための図である。
【図８】本発明の第二の実施形態に係る化学発光体を使用するときの状態を説明するための概略図である。（ａ）はアンプル破割前の状態を説明する図であり、（ｂ）はアンプル破割後の状態を説明するための図である。
【発明を実施するための形態】
【００１１】
以下に本発明の実施の形態を詳細に説明するが、以下に記載する構成要件の説明は、本発明の実施態様の一例（代表例）であり、本発明はその要旨を変更しない限り、以下の内容に限定されない。なお、本明細書において「〜」という表現を用いる場合、その前後の数値を含む表現として用いる。
【００１２】
［第一の実施形態］
図１〜３は、本発明の化学発光体の第一の実施形態を示すものである。図１は化学発光体１００の全体構造を示す斜視図である。化学発光体１００は、外部ケース１と、吸液材２と、アンプル３と、スペーサー４とを有する。外部ケース１の中に、吸液材２と、アンプル３と、スペーサー４と収容されており、外部ケース１の両端は蓋部１１、１２によりそれぞれ密閉されている。
【００１３】
図２は、図１に示す化学発光体１００のＡ−Ａ断面図である。図３は、図１に示す化学発光体１００の蓋部１１を上側としたときの、一部拡大略断面図である。スペーサー４の溝部４１にアンプル３が嵌め込まれる。アンプル３には第一の化学発光用組成物５が収容されている。スペーサー４およびアンプル３と、外部ケース１との間には空間７が形成されている。空間７で、スペーサー４とアンプル３との周囲に沿って吸液材２が設けられる。空間７には第二の化学発光用組成物６が収容され、この第二の化学発光用組成物６は、吸液材２に吸液され保持され、吸液材２の吸液量を超えるものは空間７で流動可能である。この空間７に吸液材２は配置され、筒状を有する外部ケース１の内周面に沿って配置される。
【００１４】
化学発光体１００は、例えば、以下のように製造することができる。外部ケース１に蓋部１２を設けて溶着させ、外部ケース１の蓋部１１を設ける側を開放状態とする。この開放された側から、外部ケース１の内周に沿うように吸液材２のシートを配置するように挿し込む。次に、開放された側からスペーサー４を、外部ケース１の略中央に配置されるように挿し込む。次に、予め第一の化学発光用組成物５が収容されて溶封されているアンプル３を、スペーサー４の溝部に挿し込む。次に、スペーサー４と外部ケース１との隙間に第二の化学発光用組成物６を流し込む。その後、外部ケース１に蓋部１１を溶着する。これにより、化学発光体１００は製造される。化学発光体１００は、外部ケース１の内部で吸液材２に、第二の化学発光用組成物６が吸液されて、化学発光体１００を振ったりすることで吸液材２の全体に第二の化学発光用組成物６が含浸された状態となる。
【００１５】
使用時には、外部ケース１の外側からアンプル３が配置された位置を押したり、化学発光体１００全体に折り曲げの力を加えることで、アンプル３が破割し、アンプル３に収容されていた第一の化学発光用組成物５が、外部ケース１内の空間７に放出される。この第一の化学発光用組成物５（例えば、化学発光用酸化液）が、第二の化学発光用組成物６（例えば、化学発光用蛍光液）と接することで、化学発光が生じる。第二の化学発光用組成物６は吸液材２の全体に吸液された状態であり、化学発光体１００を振ると第一の化学発光用組成物５が、外部ケース１内に拡がり、吸液材２が配置された部分全体で、化学発光が生じる。よって、化学発光体１００は、その端から端まで全体的に均一に発光して見える。これは従来の場合、化学発光用組成物が筒の下部に集まり、その範囲のみ発光していたものよりも広く発光したものとなる。
【００１６】
［第二の実施形態］
図４〜９は、本発明の化学発光体の第二の実施形態を示すものである。図４は化学発光体１０１の全体構造を示す正面図である。化学発光体１０１は、外部ケース１と、吸液材２と、アンプル３１と、アンプル３２（図６）と、アンプル保持部材８とを有する。外部ケース１の中に、吸液材２と、アンプル保持部材８が収容されており、アンプル保持部材８にアンプル３１とアンプル３２とが保持されている。外部ケース１の両端は蓋部１１、１２によりそれぞれ密閉されている。
【００１７】
図５は化学発光体１０１に用いられているアンプル保持部材８の詳細を説明するための図である。図５（ａ）はアンプル保持部材８の正面図である。図５（ｂ）はアンプル保持部材８の平面図である。図５（ｃ）はアンプル保持部材８の斜視図である。図５（ｄ）はアンプル保持部材８のＢ−Ｂ（図５（ｂ））断面図である。
【００１８】
アンプル保持部材８は、固定部８１と、アンプル保持部８２とを有し、アンプル保持部８２は固定部８１と可撓性連結部８３で連結されている。また、アンプル保持部材８は、アンプル固定部８４と、アンプル固定部８４と固定部８１とを連結する連結部８５を有する。アンプル保持部材８は、２本のアンプルを保持することができ、第一のアンプルがアンプル保持部８２１からアンプル固定部８４１間に配置され、第二のアンプルがアンプル保持部８２２からアンプル固定部８４２間に配置される。アンプル保持部材８は、化学発光体１０１において、固定部８１が吸液材２に接し、さらに外部ケース１に近接する配置となる。アンプル保持部材８は、固定部８１が固定された状態で、アンプル保持部８２を図５（ａ）における上側方向に押すことで、可撓性連結部８３を軸に折り曲げることができる。アンプル保持部８２と可撓性連結部８３とにより、固定部８１方向に可撓性を有する可撓性保持部をなす構造となる。なお、アンプル保持部材８は、化学発光体１０１における蓋部１１となる部分を一体成形した構造である。
【００１９】
図６は、アンプル保持部材８に、アンプル３１と、アンプル３２とを保持させた状態を示す。アンプル３１には第一の化学発光用組成物５１が収容され、アンプル３２には第二の化学発光用組成物６１が収容されている。
【００２０】
図７は、外部ケース１に蓋部１２を設けて一端を閉じた状態に、吸液材２を外部ケース１の内周に沿わせて配置し、外部ケース１の開放端側から、図６に示すようにアンプル３１、３２を保持させたアンプル保持部材８を挿し込む工程を説明する図である。このアンプル保持部材８を十分に挿し込み、蓋部１１を閉じることで化学発光体１０１を製造することができる。
【００２１】
図８は、化学発光体１０１を使用するときの操作を説明するための概略正面図である。図８（ａ）は化学発光体１０１を使用するときの押圧位置１４等を説明するための概略正面図である。図８（ｂ）は押圧によりアンプル３１が破割した状態等を説明するための図である。
【００２２】
図８（ａ）に示すように、アンプル保持部材８の固定部８１と離れたアンプル３１の押圧位置１４を押圧して使用する。この押圧位置１４は、外部ケース１の側部にあり、その内側にアンプル保持部８２が近接した部分である。なおアンプル３１には第一の化学発光用組成物５１が収容されている。押圧位置１４を、押圧方向Ｐ１に押すだけで、外部ケース１はその押圧位置１４付近がわずかに凹む。この凹みにより、アンプル保持部８２は可撓性連結部８３を軸に固定部８１方向へと折り曲げられる。
【００２３】
このアンプル保持部８２の折り曲げに合わせて、保持されているアンプル３１にも折り曲げの力が加わる。アンプル３１はガラス製等の折り曲げの力により破割しやすいアンプルで成形され、この折り曲げの力により、可撓性連結部８３付近にアンプル破割部３１１が生じる（図８（ｂ））。そして、このアンプル破割部３１１から、アンプル３１に収容されていた第一の化学発光用組成物５１が放出液５１１として外部ケース１内の空間７１に放出される。
ここではアンプル３１を中心に説明したが、アンプル保持部材８に保持されるアンプル３２も同様に破割し、そこに収容されている第二の化学発光用組成物６１も同様に放出される。
【００２４】
アンプル３１から放出された第一の化学発光用組成物５１と、アンプル３２から放出された第二の化学発光用組成物６１とは、外部ケース１内の空間７１内で適宜混合され、さらに、それぞれの液や混合液は吸液材２に吸液される。化学発光体１０１を振ることで、外部ケース１内の空間で、混合液等が撹拌され、吸液材２に適宜吸液され、吸液材２が配置された部分全体で化学発光が生じたものとなる。この第二の実施形態にかかる化学発光体１０１は、前述のように押圧位置１４を押すだけで、化学発光を開始させることができる。すなわち、片手でも速やかに化学発光を開始させることができる優れた構造である。また、複数本のアンプルを同時に破割することもできる点でも優れている。
【００２５】
外部ケース１は一般的に熱可塑性樹脂組成物等を用いて成形される。そのため、微量ながら通気性を有しており、そこに収容される化学発光用組成物が、長期保管時に劣化等する場合がある。この劣化を避けるためには、双方の化学発光用組成物をより保管時の密閉性が高いガラスアンプル内とすることが考えられる。従来の構造の化学発光体は、化学発光体の内容量（液面）が発光面積となっていたため、できるだけ内容量を多くしたほうが良かった。しかし、液量が増えると化学発光体を大型化するとき重くなってしまう。また、ガラスアンプルを２本用いると、そのガラスアンプル内に収容できる液量の制限が生じてしまい、内容量が少なくなってしまい発光面積が減少する。しかし、本発明のように吸液材２を配置することで、少量の内容量（液量）の化学発光用組成物でも、その化学発光用組成物が効率よく、化学発光体の全体に展開した状態が維持されるため、発光面積が広く、軽量の化学発光体とすることができる。
【００２６】
この実施形態に基づいて、例えば、以下のような化学発光体を製造することができる。
・外部ケース１：外径φ３０ｍｍ（厚み０．７ｍｍ）、長さ２０ｃｍ、ＰＰ樹脂組成物製
・蓋部１２：外部ケースの内側に嵌め込む大きさでＰＰ樹脂組成物製の蓋部を用いた。
・吸液材２：ＰＰ樹脂組成物製不織布シート（厚み１５０μｍ）、外部ケースの内壁に沿って巻回して配置。
・アンプル３１、３２：ガラス製アンプル  内容量３０ｍＬ
・第一の化学発光用組成物５１：アセチルクエン酸トリブチル８０質量部と安息香酸２０質量部を混合して溶媒（１）を調製した。シュウ酸エステルであるＣＰＰＯが０．１６４ｍｏｌ／Ｌ、蛍光剤が３．２７ｍｍｏｌ／Ｌ、残部が前記溶媒（１）として、蛍光液として機能する組成物を調製して、アンプル３１に充填して用いた。
・第二の化学発光用組成物６１：フタル酸ジメチル７０質量部とジエチレングリコールモノエチルエーテル３０質量部とを混合して溶媒（２）を調製した。過酸化水素が３質量％、サリチル酸ナトリウムが０．７ｍｍｏｌ／Ｌ、残部が前記溶媒（２）として、酸化液として機能する組成物を調製して、アンプル３２に充填して用いた。
・アンプル保持部材８：アンプル保持部材８として、外部ケース中央で、外部ケースの内壁と接する固定部８１を有し、外部ケース中央に可撓性連結部８３が配置され、可撓性連結部８３から蓋部１２側へ５０ｍｍ伸長しアンプルを保持することができるアンプル保持部８２を有するアンプル保持部材８を、ＰＰ樹脂組成物で製造した。このアンプル保持部材８は蓋部１１と一体成形されている。
・化学発光体の製造：これらの部材等を用いて、化学発光体を作製した。この化学発光体は、外部ケースの最大内容量に対して、非常に少ない液量の化学発光用組成物を収容しているため軽いが、使用時に吸液材が吸液し、発光体全体が均一に発光するものであった。
【００２７】
（第二の実施形態の変形例）
なお、第二の実施形態では、アンプルを２本用いて、第一の化学発光用組成物と、第二の化学発光用組成物とをそれぞれに収容させたものを例に説明した。この第一の化学発光用組成物と、第二の化学発光用組成物とは第一の実施形態と同様に、一方の液をアンプル内としてアンプルは１本のみ用いて、他方の液は、外部ケース内であり、そのアンプルの外に収容させる形式としてもよい。
【００２８】
（外部ケース１）
本発明の化学発光体は、両端が密閉された外部ケースを有する。この外部ケースの内部であり、かつ外部ケースに内包されるアンプルの外部には化学発光用組成物の一方の組成物が充填される場合がある。外部ケースは、外部ケースの長さ方向に延びる単一の中空空間を有する。
外部ケースは、樹脂製容器が一般的であり、この容器は樹脂を用いて射出成形等の樹脂成形法により成形される。この樹脂としては、耐熱性、耐溶剤性、機械強度といった観点から、ポリエチレン（ＰＥ）やポリプロピレン（ＰＰ）等を主とするものが一般的に用いられる。例えば、ポリプロピレンの場合、適宜、添加剤が加えられたポリプロピレン樹脂組成物が市販されており、このような樹脂組成物により製造される容器は樹脂としてポリプロピレンを採用した樹脂組成物製の化学発光体の外部ケースとなる。
また、使用時に化学発光体内部の化学発光による光の分散性を向上させるために、樹脂組成物に適宜、光分散剤を加えたり、色調を変えるために着色剤を混合して外部ケースを製造してもよい。
また、製造条件の制御によって結晶化度をコントロールする等して、白濁状態の光分散性が高い容器としてもよい。
【００２９】
（外部ケースの成形）
本発明の外部ケースは、前述のように樹脂製である。ここで、外部ケースは、外部ケース内に、アンプル、化学発光用の化学組成物等を加えた後、所定の方法で密閉された外部ケースとなる。この密閉方法の代表的な方法としては、外部ケース用の本体容器に当該容器の横断面を閉塞する蓋部を取り付ける方法が挙げられ、具体的な蓋部の取り付け方として、熱溶着により蓋部を取り付ける方法が挙げられる。この蓋部を取り付けるにあたっては、その蓋部を取り付けるためのスペースが外部ケース用の本体容器に設けられる。さらには、その蓋部は熱溶着等を行いやすいように、外部ケースを円柱状とし、溶着部はその円周部とするように溶着しやすい構造であることが好ましい。
【００３０】
この外部ケースは、適宜、化学発光体の用途に合わせた任意の形状としてよいが、円筒状や柱状、略直方体状のものなどを用いることができる。本発明の化学発光体は、収容させる液量が少なくても広範な発光面積をえることができるため、径を太くしたり、長さを長くすることで広い発光面積を有する化学発光体の設計に適している。この発光面積はこの外部ケースの大きさにも依存する。また、外部ケースに螺合部や、クリップのような係止部等の他の部材と連結することができる連結部を設けてもよい。このような連結部を有する場合、被連結部を有する他の部材と組み合わせてより広範な用途に使用しやすくなる。
【００３１】
具体的な外部ケースの大きさは、例えば、断面の円相当に換算したとき２０ｍｍφ〜４０ｍｍφや、２８ｍｍφ〜３２ｍｍφとすることができる。また、例えばその長さは、長さ下限は１００ｍｍ以上や、１５０ｍｍ以上、１８０ｍｍ以上とすることができ、長さの上限は５００ｍｍ以下や、４００ｍｍ以下、３００ｍｍ以下とすることができる。また、外部ケースの筒の厚みは化学発光体として十分な機械強度や液漏れ等を防止でき、同時に内部のアンプル等を破割する押圧や折り曲げができる範囲で適宜設定される。具体的な厚みとしてその下限は、０．４ｍｍ以上が好ましく、０．５ｍｍ以上や、０．６ｍｍ以上とすることもできる。厚みの上限は、１．５ｍｍ以下が好ましく、１．２ｍｍ以下や、１．０ｍｍ以下とすることもできる。
【００３２】
（吸液材２）
本発明の化学発光体は、外部ケースの内部に配置される吸液材を有する。この吸液材は化学発光用組成物を吸液するものである。吸液材は、化学発光用組成物を吸液し、化学発光時に発光面となる。吸液材には、多孔性シートなどを用いることができる。多孔性シートとは、多量の細孔があるシートである。このようなシートとしては、ポリエチレン（ＰＥ）やポリプロピレン（ＰＰ）、レーヨンなどを素材とする織布や不織布等が挙げられ、これらの素材を単独で用いた不織布や、あるいは複数組み合わせた複合不織布等を用いることができる。この多孔性シートの厚みは３０μｍ以上程度のものが用いられ、化学発光体の用途にも併せて適宜、その厚みの下限は５０μｍ以上や、８０μｍ以上、１００μｍ以上のものを用いてもよい。また、その厚みの上限は、適宜、２ｍｍ以下や１ｍｍ以下、５００μｍ以下程度の厚みのものが用いられる。吸液材は蓋部に接する面にも配置することができ、発光面積を広げることができる。
【００３３】
吸液材は、化学発光時に液状の化学発光用組成物のいずれかを吸液することができればよく、非使用時には吸液していない状態であってもよい。吸液材は、化学発光用組成物のいずれかを吸液したり、粉状や液状、ゲル状のような高粘度の液状等、種々の状態の化学発光用組成物を浸透させ保持、担持させてもよい。この吸液材には、化学発光用組成物の浸透・保持性と、化学発光体の外部ケース内で形状を維持させるための一定の形状保持性（機械的強度）を有することが好ましい。また、化学発光用組成物に用いられる化合物、特に溶媒に一定の耐性があり、それらの化合物と接しても分解しにくいことが好ましい。このために、適宜、複数の素材を組み合わせた複合不織布を用いてもよい。
【００３４】
吸液材は、シュウ酸エステル、触媒および蛍光剤からなる群から選択されるいずれかを担持したものとすることができる。これらの成分は単独で粉体上のものでもよく、粉体そのまま担持させたり、スラリー状にして吸液材に含浸させ乾燥させてスラリーの分散媒等を揮発させて担持させた状態としてもよい。このように担持させることで、吸液材に直接、化学発光に寄与する成分を高濃度で担持させることもでき発光強度を向上させることができる。また、これらの成分が担持した吸液材の部分が発光しやすくなる。
【００３５】
この吸液材は、化学発光体の外部ケースの形状に合わせて内部に配置される。この配置はできるだけ吸液材の配置位置が広範なものとなるように配置されることが好ましい。このような構成とすることで、化学発光体内で鉛直方向の下側に組成物がたまることを防ぐことができ、化学発光体全体に広く均一な発光部を設けることができる。
外部ケース内で化学発光体が安定するように、外部ケースと吸液材とを複数個所、加熱溶着や、接着剤等により接着させることもできる。この接着は外部ケースの蓋部等と行ってもよい。これにより、吸液材が化学発光体の外部ケース内での移動や、剥離などを防止できる。
【００３６】
配置される吸液材は、外部ケース内に複数の層を有するように配置するものであってもよい。すなわち、複数枚の吸液材を配置したり、１枚の吸液材を折り曲げて複数の層となるように配置してもよい。複数の層を有するように配置することで、それぞれの層（シート）の吸液量を制御して発光性を調整したり、層間に化学発光用組成物を挟み込んで担持させたり、吸液材としての機械的強度を向上させたりといった設計を行うこともできる。また、この複数の層として配置することで、化学発光体内の内部構造がより見えにくくなるため、全体として化学発光の光のみが認識される意匠性に優れたものとなる。
【００３７】
吸液材は、文字や図形、模様等を設けたものであってもよい。吸液材は一部前述したように、多孔性シートなどが用いられる。一般に化学発光体に用いられる外部ケースはポリオレフィン系、特にポリプロピレン樹脂等が用いられる。このポリプロピレン樹脂等を容器のように平滑性が高い状態とすると文字や図形等の印刷等が難しい場合がある。また、化学発光体の内側で発光した光の外の文字や図形等となるため発光を遮る配置となる。しかし、吸液材に文字や図形等を設けると、多孔性シート等の繊維間などにより印刷等も容易となる。また、吸液材は、その少なくとも一部に蛍光剤が含侵されたものとすることができる。化学発光用組成物と微視的にも隣接した状態となり、外部ケースと吸液材との間の化学発光用組成物が発光し吸液材の印刷等はその光に照らされる配置も取りうることから、明るく表示される効果も得られる。この印刷等は、各種染料や顔料等により行うことができる。特に化学発光の光を利用するために、蛍光剤を含むインク等を用いることが好ましく、この蛍光剤が吸液材に担持されたものとなっている。これらの蛍光剤は化学発光用組成物の蛍光物質と共通するものでもよく、他の蓄光剤等を用いてもよい。
【００３８】
（アンプル３（３１、３２））
本発明の化学発光体は、非使用時（保管時等）は、２種の化学発光用組成物が混合されないように化学発光体の外部ケースに内包されるアンプルによって分離される。外部ケースの内部であり、かつ、アンプルの外部に化学発光用組成物の一方の組成物が充填されたものとすることができる。または対となる化学発光用組成物がそれぞれに収容されている２本以上のアンプルを用いてもよい。なお、アンプルは複数の色素を含む組成物を別々に設けるなどして、３本以上としてもよい。
アンプル内部には、対となる化学発光用組成物のいずれかが内包されている。例えば、アンプル内に蛍光液または酸化液いずれか一方を充填し、外部ケース内には他方の液が充填されるか、またはそれぞれ異なるアンプル内に、蛍光液、酸化液をそれぞれ充填し密封されている。
【００３９】
このアンプルは、折り曲げの力が加わった時に、外部ケース内で割れるアンプルであればよく、一般的にはガラス製のアンプルが用いられる。ガラス製とすることで、非使用時には外部の液と内部の液の混合を遮断することができ、さらに、化学発光体にかける力によって、適度に割れやすいものとすることができるためである。なお、化学発光体にかける力は、破割性アンプルが破割する程度の折り曲げ等であれば足り、特にガラス製の破割性アンプルとする場合、その折り曲げは緩やかなカーブを描く程度の折り曲げでよい。さらには、アンプル保持部材を用いることで折り曲げよりも弱い、外部ケースに対する押圧程度のわずかな凹みで片手でも簡易にアンプルを破割させることもできる。
【００４０】
（スペーサー４）
本発明の化学発光体は、外部ケースの内部にスペーサーを設けてもよい。スペーサーを設けることで全体としての重量を低減させやすいため、径を太くしたり、長さを長くすることで広い発光面積を有する化学発光体の設計に適している。
【００４１】
また、本発明の化学発光体は、前記外部ケースの略中央に配置されるスペーサーであって、前記スペーサーの外縁にアンプルを収容する保持部を有し、前記外部ケースの略中央に配置されることで前記外部ケースと前記スペーサーとの間に化学発光用組成物が充填される隙間（空間）が生じるスペーサーを有することができる。このスペーサーにより、外部ケースに内包される化学発光用組成物量を低減することができる。また、スペーサーに設けられた保持部にアンプルを収容することで、そのアンプルを安定して保持することができる。
【００４２】
スペーサーを用いるとき、スペーサーと外部ケースとの間に生じる隙間（空間）に化学発光用組成物の一方の組成物を充填することができ、この隙間に充填されている化学発光用組成物の一方の組成物がアンプルを破割した時にアンプル内の他方の組成物と反応することで化学発光して化学発光体の外部ケース内で発光する。このとき化学発光体の外部ケースの外周部に相当する部分が発光面となり、その化学発光体の外周部の周方向全体がほぼ均一に発光しやすいようにスペーサーは略中央の外部ケースと同じ軸心上に設けておき、スペーサーと外部ケースとの隙間に吸液材を配置し、化学発光体の外周部に発光面が得られるように配置することが好ましい。このスペーサーと外部ケースとの間に生じる隙間は、例えば約０．３ｍｍ〜５ｍｍ程度の隙間とすることができる。
【００４３】
このスペーサーはその外縁にアンプルを収容する保持部を有することができる。この保持部は、スペーサーの長さ方向に沿って設けられた溝部のような形状で達成することができる。この溝部にアンプルをはめ込むように収容することができる。この保持部にアンプルを保持させることで、非使用時には、内部のアンプルが破割しないように保護し、一方で、使用時に軽い折り曲げの力などを加えれば容易に破割することができるような、使用しやすい化学発光体とすることができる。前記スペーサーに設けられたアンプルを収容する保持部は、スペーサーに２個以上５個以下程度設けることが好ましい。本発明の化学発光体は、その直径が太いものを得るときに好ましい形状である。このため、その広い外周面に沿って化学発光用組成物、特にアンプルを破割した後のアンプル内の化学発光用組成物が放出されやすく、混合されやすいように、外縁の複数の位置にアンプルが設けられていることが好ましい。また、そのような配置とすることで、バランスのとれた美感と、重量感を得ることができる。
【００４４】
本発明において、このスペーサーを化学発光用組成物よりも比重が軽いものを採用することで、化学発光体全体の軽量化にも資することができる。また、化学発光用組成物を吸液しないような素材を用いることで、スペーサー内部に化学発光用組成物が含有される量も減るため、より軽量化しやすくなる。さらに、スペーサーとして光散乱性の高い白色物質等を用いることで、使用時に化学発光体ないで発光する化学発光用組成物による発光の色の変化を少なくし、かつ、光損失を少なくし外部に散乱させ高い輝度とすることが期待される。このような観点から、スペーサーは、発泡樹脂製の発泡体であることが好ましい。また、スペーサーは、化学発光用組成物に用いられる溶剤等に対する耐溶剤性等も有することが好ましい。このようなスペーサーとしては、ポリエチレン（ＰＥ）および／またはポリプロピレン（ＰＰ）の発泡樹脂製の発泡体を用いることが好ましい。
【００４５】
（第一の化学発光用組成物５（５１）、第二の化学発光用組成物６（６１））
本発明は、２種の化学発光用組成物を混合することで化学発光を生じさせる化学発光体に関する。ここで、混合することで化学発光を生じさせる２種の組成物とは、例えば、化学発光用蛍光液（シュウ酸エステルと色素（蛍光物質）、溶媒等）と化学発光用酸化液（過酸化水素水のような酸化剤と触媒成分、溶媒等）のような液状のものが一般的であるが、これらの液と同様に混合することで化学発光を生じさせる液状や、粉体状や粒状の固体状のものなど、種々の化学発光用組成物を用いることができる。本願においては、この一方を第一の化学発光用組成物とよび、他方を第二の化学発光用組成物と呼ぶ場合がある。この組成物は双方が液状の場合、混合性に優れており全体で均一な発光を速やかに生じさせやすく好ましい。
なお、ここで混合することで化学発光を生じさせるものは、一般的にそれぞれを複数の化合物等の組成物として調製されるが、本発明においては単独の物質で用いることができるようなものも含めて組成物と表記する。
【００４６】
本発明においては、一部前述したように、吸液材が、シュウ酸エステル、触媒、および蛍光物質からなる群から選択される少なくとも１以上の成分を担持したものでもよい。これらの成分は、化学発光用組成物を構成する成分として用いられるものである。
シュウ酸エステルとしては、例えば、ＣＰＰＯ（Bis(2,4,5-trichloro-6-carbopentoxyphenyl)oxalate：ビス（２，４，５−トリクロロ−６−カルボペントキシフェニル）オキサレート）や、CIPO（Bis[3,4,6-trichloro-2-(3-methylbutyloxycarbonyl)pheny]oxalate：ビス［３，４，６−トリクロロー２−（３−メチルブチルオキシカルボニル）フェニル］オキサレート）等を用いることができる。これらのシュウ酸エステルはシュウ酸組成物として担持させてもよい。シュウ酸組成物は、シュウ酸エステル等を含むもので、化学発光用組成物として用いることができ、主としてシュウ酸エステルを含む組成物である。例えば、組成物のうちシュウ酸エステルを５０質量％以上や８０質量％以上、９０質量％以上含むものを用いることができ、シュウ酸エステルからなるものも含む概念である。シュウ酸エステル自体が常温で固体のため、その粉状で吸液材と接したり、適宜溶媒等により分散させることで担持させることができる。他の成分としては、溶媒や触媒、色素等を混合した組成物としてもよい。
【００４７】
触媒としては、化学発光の触媒として使用できるものを適宜用いることができ、サリチル酸リチウム、サリチル酸アンモニウム、サリチル酸ナトリウム、サリチル酸テトラアルキルアンモニウム塩等のサリチル酸およびその誘導体や、テトラブチルアンモニウムサリシレート（ＴＢＡＳ）、安息香酸ナトリウム等を用いることができる。通常、化学発光用組成物に用いられる酸化液に対し０．１ｍｍｏｌ／Ｌから１０ｍｍｏｌ／Ｌ程度含まれ、化学発光体としてそれに相当する量程度を吸液材に担持させてもよい。
【００４８】
蛍光物質としては、３００〜１２００ｎｍにスペクトル発光を有し、且つ、酸化液溶媒に少なくとも部分的に可溶な蛍光化合物であれば特に制限はない。これらの蛍光化合物としては、アントラセン、置換アントラセン、ベンゾアントラセン、フェナントレン、置換フェナントレン、ナフタセン、置換ナフタセン、ペンタセン、置換ペンタセン、ペリレン、置換ペリレン、ビオラントロン、置換ビオラントロン、ナフタルイミド、置換ナフタルイミドなどの縮合環を有する共役多環芳香族化合物が例示される。上記化合物の置換基としては、発光反応を妨げない限りにおいて特に制限はなく、フェニル基、低級アルキル基、クロロ基、ブロモ基、シアノ基、アルコキシ基、フェニルナフチル基などが例示される。化学発光用組成物（蛍光液）における蛍光物質の濃度の目安は、０．０１〜５質量％程度であり、色、強度、時間等の発光性能や混合性等によって設定され、化学発光体としてそれに相当する量を吸液材に担持させてもよい。
【００４９】
本発明は化学発光用組成物を、高粘度化学組成物として用いてもよい。高粘度化学組成物とは、第一の化学組成物に増粘剤を含むことで粘度を上昇させたものである。化学発光用の酸化組成物を例にすると、従来の代表的な組成としては、過酸化水素水、酸化剤、触媒および溶媒の混合物が用いられており、粘度が低い液であり、このまま用いることもできる。
【００５０】
本発明においては、さらに化学組成物中に増粘剤を加えて粘度を上昇させて用いても良く、これにより吸液材による保持性も向上し、化学発光体内で沈降しにくくなる。高粘度化学組成物に用いる増粘剤としては、任意の粘度が得られるものであれば特に限定されず、高粘度化学組成物中に使用する溶媒等の成分を著しく劣化させることがないものを適宜選択することができる。この増粘剤としては、ワックスや超低分子量ポリエチレン、ペトロラタム物質、パラフィン、ポリマー、ヒュームドシリカなどが挙げられる。適切な増粘剤のさらなる例としては、ポリアミド、塩化ビニル樹脂、ポリスチレン、およびポリアクリレートのようなポリマー性増粘剤、ゴム改質剤、ゴム、デンプン、食用ゲル、ポリアクリルアミドならびにヒュームドシリカからなる群から選択される１以上の物質などを用いることができる。また、これらの増粘剤は適宜、組み合わせて用いることもできる。これらのなかでも、ヒュームドシリカを用いることが好ましい。
【００５１】
（アンプル保持部材８）
本発明の化学発光体は、アンプル保持部材を有するものとしてもよい。このアンプル保持部材は、アンプルの一部を外部ケース内で固定する固定部を有する。すなわち、アンプル保持部材により外部ケース内でアンプルの一部が所定の位置に固定される。そして、この固定部と離れたアンプルの押圧位置に対応する外部ケースの位置を押圧することで、固定部を支点、押圧位置を力点として、その位置関係に対応した作用点がアンプルに生じる。この作用点からアンプルはその応力により破割して、アンプル内の化学発光用組成物が外部ケース内に放出される。このアンプル保持部材の構造は、外部ケースを押圧することでアンプルを破割することができる種々の構造を採用することができる。例えば、アンプルの両端を外部ケース内で固定する固定部を有し、そのアンプルが外部ケースの内壁に近接する位置に配置されるアンプル保持部材とすることができる。このとき、外部ケースの内壁に近接するアンプル中央付近等を外部ケースの外から押圧すると、アンプルの両端は固定されて支点となっており、押圧によりアンプルが変形しやすい状態となっているため押圧のみでアンプルを破割することができる。
【００５２】
好適なアンプル保持部材の構成は、アンプルの一部を外部ケース内で固定する固定部を有し、さらに、アンプルの押圧位置に対応してアンプルを保持し、固定部方向に可撓性の可撓性保持部を有するものとすることができる。外部ケースを押圧して内部のアンプルに応力をかけるとき、アンプル全体が外部ケース内で移動すると破割しにくい。このため、アンプルの移動を制限する固定部が、押圧位置の反対方向にありそこでアンプルの一部の移動を抑制する。一方、押圧位置自体は押圧により押し込まれ可撓性保持部の可撓性部分を基点として変形可能なものとする。これにより、固定部が支点、押圧位置が力点、可撓性保持部の可撓性部分が作用点となり、効率よく安定してアンプルを破割することができる。このようなアンプル保持部材により、化学発光体を折り曲げずとも、所定の位置を押すだけでアンプルを破割し発光させることができる。なお、従来の化学発光体はその両端を両手でそれぞれ把持し折り曲げる必要があったが、本発明の化学発光体は例えば片手の親指で押すだけのような片手でアンプルの破割ができる。
アンプル保持部材は、同時に複数本のアンプルを保持するものであっても良い。この場合、対をなす化学発光用組成物の双方をアンプル内とすることができ、酸化劣化等の保管時の変性をより防止することができる。
【００５３】
（化学発光体１００（１０１））
本発明は、２種の化学発光用組成物を混合することで化学発光を生じさせる化学発光体の構造に特徴を有するものである。本発明の化学発光体は、特に太い径を有するものとしたいときに適した構成であり、例えば直径２０ｍｍ以上や、好ましくは直径３０ｍｍ以上のような径の化学発光体としても、全体としての重量を軽量化することができる。また、その長さも、その用途に合わせて適宜設定されるが、例えば、長さ４インチ以上等として設計することができる。外部ケースの内部に吸液材があることで、酸化液と蛍光液等の化学発光用組成物の量が少量であっても筒の表面全体が発光して見える。
【００５４】
ここで、化学発光体における化学発光用組成物の量は、その合計量（例えば、酸化液と蛍光液の合計量等）が、外部ケースの最大内容量に対して、７０容積％以下のように、化学発光用組成物の占める割合の上限を定めて設計してもよい。この上限は６０容積％以下や、５０容積％以下、４０容積％以下としてもよい。特に、吸液材の吸液性が高いものを用いたり、吸液材に化学発光用組成物の一部を担持させたり、スペーサーを用いることでこの化学発光用組成物が占める割合その下限は特に定めなくてもよいが、例えば１容積％以上や５容積％以上のような下限を設けても良い。
【００５５】
（製造工程）
本発明の化学発光体を製造するにあたっては、本発明の化学発光体を得ることができればよく、一端が密閉された外部ケースの開放端側から、吸液材や、化学発光用組成物の一方の組成物、スペーサー、アンプル保持部材、化学発光用組成物の他方の組成物が含まれるアンプルといった各化学発光体に必要な構造を任意の順序で加えて、その後、外部ケースの開放端を密閉することで製造することができる。
より具体的には、例えば、以下の方法で製造することができる。まず、両端が開放された管上の外部ケースを、所望の長さに切断する。次に、その外部ケースの一方の端部に蓋を溶着することで、一方の端部が開放された容器状の外部ケースとする。次に、外部ケースに所定の量の化学発光用組成物の一方の組成物として化学発光用蛍光液を加える。次に、アンプルを収容する保持部として機能する溝部を設けた中実のＰＰ製発泡体からなるスペーサーや、アンプル保持部材を、化学発光用蛍光液が加えられた外部ケースの略中央部に配置する。スペーサーを用いるとき、外部ケースに配置されたスペーサーの保持部に、化学発光用組成物の他方の組成物を含有するアンプルを配置する。アンプル保持部材をもちいるとき予めアンプル保持部材の所定の位置にアンプルを配置させておいてもよい。その後、外部ケースの横断面を閉塞する蓋部を嵌合し溶着することで開放端を密閉する。これによって、化学発光体を製造することができる。
【００５６】
上記した製造方法等で製造される化学発光体は、化学発光体内部に化学発光用液のような組成物を内包しているが、それらすべてを内包する外部ケースの溶着部を溶着しやすい形状とすることができるため、製造時、および得られる製品の液漏れ防止効果等の安全性が高い。また、スペーサーはアンプルの保持部を有することから、複数のアンプルを外部ケース内に内包させる場合でも、アンプル同士の接触等のおそれが少なく、欠陥品が生じにくい方法で製造することができる。また、アンプル保持部材も予めアンプルを保持して、意図しない移動を抑制できるため、アンプルの破割等を防止して、欠陥品が生じにくい方法で製造することができる。
【産業上の利用可能性】
【００５７】
本発明の化学発光体は、広い発光面積を有する化学発光体として、化学発光体が従来使用されてきたようなコンサートライトや、警告灯、表示灯等の様々な用途に使用することができ、産業上有用である。
【符号の説明】
【００５８】
１  外部ケース
１００、１０１  化学発光体
１１、１２  蓋部
１１１  溶着部
２  吸液材
３、３１、３２  アンプル
４  スペーサー
４１  溝部
５、５１  第一の化学発光用組成物
６、６１  第二の化学発光用組成物
７、７１  空間
８  アンプル保持部材
８１  固定部
８２  アンプル保持部
８２１  第一のアンプル保持部
８２２  第二のアンプル保持部
８３  可撓性連結部
８４  アンプル固定部
８４１  第一のアンプル固定部
８４２  第二のアンプル固定部
８５  連結部
【図１】
2019155521.tif 000003
【図２】
2019155521.tif 000004
【図３】
2019155521.tif 000005
【図４】
2019155521.tif 000006
【図５】
2019155521.tif 000007
【図６】
2019155521.tif 000008
【図７】
2019155521.tif 000009
【図８】
2019155521.tif 000010
【国際調査報告】
2019155521.tif 000011
2019155521.tif 000012